(57)【要約】【課題】使用目的に応じて形態を変化させることができる多機能デッキを提供する。【解決手段】床部４を支柱３で所定高さに保持し、床部４の床面５を複数のパネル体６で形成し、少なくとも一部のパネル体６を着脱自在な可動パネル体８に形成し、可動パネル体８の下部に槽体１０を配置したものであり、可動パネル体８は単数でも複数でも良く、床部４の床面を形成するパネル体６の全てを可動パネル体８とすることも可能であり、可動パネル体８を設置した状態において床面の全領域をデッキ領域として利用し、可動パネル体８を開放した状態において各可動パネル体８の下部に配置した槽体１０を、浴槽、プール、雨水の貯水槽、砂場、ガーデニング用具収納、玩具収納等として利用し、各利用の形態において槽体の周囲のパネル体の領域を、洗い場、プールサイド、プランター置き場、遊び場等として多目的に利用する。【選択図】    図１
2004169284.tif 000002
【特許請求の範囲】
【請求項１】
床部を支柱で所定高さに保持し、床部の床面を複数のデッキパネル体で形成し、少なくとも一部のデッキパネル体を着脱自在な可動デッキパネル体に形成し、可動デッキパネル体の下部に槽体を配置したことを特徴とする多機能デッキ。
【発明の詳細な説明】
【０００１】
【発明の属する技術分野】
本発明は多機能デッキに関し、ウッドデッキ等として一般住宅、ログハウス等に併設し、あるいは屋内外に独立して設置するデッキに係るものである。
【０００２】
【従来の技術】
近年、ログハウスや一般住宅に併設してウッドデッキを設ける家屋があり、掃き出し窓に続く屋外スペースにウッドデッキを設置している。ウッドデッキの一般的な構造においては、束石の上に所定高さの床束を設置し、床束で根太を支持し、根太に床板を設置している。ウッドデッキの利用形態としてはガーデニング植物の設置、洗濯物干し等がある。
【０００３】
先行技術としては特許文献１に記載するものがある。
【０００４】
【特許文献１】特願平６−２５０８１号公報
【０００５】
【発明が解決しようとする課題】
ところで、日本の都市部における戸建住宅は一般的に敷地面積が狭く、駐車スペースを除くと庭として利用可能な面積は限れている。従来のウッドデッキは地面の上に平面的な床を設置したものであるが、限られた敷地を有効利用するためには使用目的に合わせてその形態を変化させることができ、限られた敷地上の空間を立体的に使用できる構造が求められる。
【０００６】
本発明は上記した課題を解決するものであり、使用目的に応じて形態を変化させることができる多機能デッキを提供することを目的とする。
【０００７】
【課題を解決するための手段】
上記課題を解決するために、本発明の多機能デッキは、床部を支柱で所定高さに保持し、床部の床面を複数のデッキパネル体で形成し、少なくとも一部のデッキパネル体を着脱自在な可動デッキパネル体に形成し、可動デッキパネル体の下部に槽体を配置したものである。
【０００８】
上記した構成により、可動デッキパネル体は単数でも複数でも良く、床部の床面を形成するデッキパネル体の全てを可動デッキパネル体とすることも可能である。可動デッキパネル体を設置した状態において床面の全領域をデッキ領域として利用し、可動デッキパネル体を開放した状態において各可動デッキパネル体の下部に配置した槽体を、浴槽、プール、雨水の貯水槽、砂場、ガーデニング用具収納、玩具収納等として利用し、各利用の形態において槽体の周囲のデッキパネル体の領域を、洗い場、プールサイド、プランター置き場、遊び場等として多目的に利用する。この場合、槽体の縁と周囲のデッキとの間に段差がなく、槽体への出入りに際して障害なくバリアフリーが実現できる。
【０００９】
特に、槽体を露天風呂の浴槽とする形態においては槽体の周囲に安全な洗い場を具現でき、槽体をプール（子供用）とする形態においては槽体の周囲に安全なプールサイドを具現できるので、露地にベビープールを設置した場合に比べて素足でプールの外へ出る子供の安全を確保でき、室内にベビープールを設置した場合には漏水、飛沫、雫から周囲の床を保護する対策を要するがデッキは本来的に濡れ縁と同等に雨水に曝される構造を有するので槽体の周囲の領域に何らの保護対策は不要であり、むしろ濡れた状態で使用するプールサイドとして有効に機能する。
【００１０】
また、砂場として利用する場合に、不使用状態では砂を貯留する槽体の開口部を可動デッキパネル体で覆うことで、犬、猫等の動物の排泄物が混入することを防止して砂の衛生を確保できる。
【００１１】
また、貯水槽として利用する場合には、降水時に可動デッキパネル体を開放することで雨水を貯留し、あるいは隣接する建屋の樋を接続することで雨水を貯留し、貯留した雨水は植栽へ散水することで節水を果たすことができ、あるいは水生動物、水生植物の飼育水槽として利用できる。
【００１２】
【発明の実施の形態】
以下、本発明の実施の形態を図面に基づいて説明する。図１〜図３において、デッキ１は母屋の掃き出し窓に続く屋外スペースに設置しており、束石２の上に所定高さの支柱３を設置し、支柱３で床部４を所定高さに保持している。床部４は床面５を形成する複数のデッキパネル体６とデッキパネル体６を支持する枠体７とからなり、一部のデッキパネル体６は枠体７に対して着脱自在な可動デッキパネル体８をなし、他のデッキパネル体６は枠体７に対して固定する固定デッキパネル体９をなす。枠体７は各デッキパネル体６を支持するためにパネル受材１０を格子状に有しており、槽体１１を配置する箇所には取り外し可能な可動パネル受材１２を配置している。本実施の形態では床部４の一部に可動デッキパネル体８を設定したが、全てのデッキパネル体６を可動デッキパネル体８とし、全てのパネル受材１０を可動パネル受材１２とすることも可能である。
【００１３】
槽体１１は底部に排水口１１ａを有し、可動デッキパネル体８を槽体１１の開口部を覆って着脱自在に配置する。デッキパネル体６、可動デッキパネル体８の材質は木質に限らず、樹脂材を採用することも可能である。槽体１１の用途は浴槽、プール、雨水の貯水槽、砂場、ガーデニング用具収納、玩具収納等であり、多目的に利用する。
【００１４】
以下、上記した構成における作用を説明する。図１に示すように、槽体１１の開口部を覆って所定位置に可動デッキパネル体８を設置した状態においては、床面５の全領域をデッキ領域として利用する。
【００１５】
図４〜図７に示すように、可動デッキパネル体８および可動パネル受材１２を取り去り、開口部の周囲に框１３を設置した状態においては、開放した槽体１１を種々の目的に使用する。
【００１６】
例えば、図４に示すように、槽体１１を露天風呂の浴槽として利用する形態においては、槽体１１の周囲の固定デッキパネル体９で安全な洗い場、もしくは休息場を確保して屋外の開放された空間にリラクゼーションの場を具現できる。この場合、槽体１１の縁と周囲のデッキとの間に段差がなく、槽体１１への出入りに際して障害なくバリアフリーが実現できる。
【００１７】
図８に示すように、槽体１１をプール（子供用）としてする形態においては、槽体１１の周囲の固定デッキパネル体９で安全なプールサイドを具現できる。従来、露地にベビープールを設置した場合に、ベビープールの周囲は露地もしくはコンクリートであり、ベビープールへの入出には履物の脱着を伴い、ベビープールから子供が不用意に素足で飛び出すと小石等で怪我することがあるが、本形態においてはプール（子供用）周囲にデッキパネル体９で安全なプールサイドを具現することで、素足でプールの外へ出る子供の安全を確保できる。また、室内にベビープールを設置した場合には漏水、飛沫、雫から周囲の床を保護する対策を要するがデッキは本来的に濡れ縁と同等に雨水に曝される構造を有するので槽体１１の周囲のデッキパネル体６に何らの保護対策は不要であり、むしろ濡れた状態で使用することが当然のプールサイドとして有効に機能する。
【００１８】
図９に示すように、槽体１１を雨水の貯水槽として利用する形態では、降水時に可動デッキパネル体８を開放することで雨水を貯留し、あるいは図１０に示すように、隣接する母屋の樋１４を接続することで雨水を槽体１１に導いて貯留する。貯留した雨水はガーデニングの植栽へ散水することで節水を果たすことができ、あるいは水生動物、水生植物の飼育水槽として利用できる。
【００１９】
図１１に示すように、槽体１１に砂を貯留して砂場として利用する形態では、不使用時には砂を貯留する槽体１１の開口部を可動デッキパネル体８で覆うことで、犬、猫等の動物の排泄物が混入することを防止して砂の衛生を確保できる。
【００２０】
図１２に示すように、槽体１１を玩具の収納空間に利用すれば、その周囲に安全な遊び場を具現でき、また、ガーデニング用具の収納空間としても利用できる。
図１３〜図１４に示すように、デッキ１には複数の槽体１１を配置することも可能であり、目的に応じて必要な可動デッキパネル体８を開放することで、デッキを多目的に利用することができる。
【００２１】
【発明の効果】
以上のように、本発明によれば、可動デッキパネル体の下方に槽体を設置することで、床面の全領域をデッキ領域として利用する形態から可動パネルを開放して使用目的に応じた形態に変化させることができ、槽体を浴槽、プール、雨水の貯水槽、砂場、ガーデニング用具収納、玩具収納等として多目的に利用するとともに、槽体の周囲のデッキパネル体の領域を、洗い場、プールサイド等の槽体の利用形態に付随する付帯設備として多目的に利用できる。
【図面の簡単な説明】
【図１】本発明の実施の形態におけるデッキの通常状態を示す斜視図である。
【図２】同デッキの床面を示す平面図である。
【図３】同デッキの側面図である。
【図４】同デッキを露天風呂として利用する状態を示す斜視図である。
【図５】同デッキの使用状態を示す平面図である。
【図６】同デッキの使用状態を示す側面図である。
【図７】同デッキに框を取り付けた使用状態を示す部分断面図である。
【図８】同デッキをプールとして利用する状態を示す斜視図である。
【図９】同デッキを貯水槽つきガーデンとして利用する状態を示す斜視図である。
【図１０】同デッキを貯水槽つきガーデンとして利用する状態を示す斜視図である。
【図１１】同デッキを砂場として利用する状態を示す斜視図である。
【図１２】同デッキを収納空間つき遊び場として利用する状態を示す斜視図である。
【図１３】同デッキの通常状態を示す平面図である。
【図１４】本発明の他の実施の形態における多槽を有するデッキを示す平面図である。
【符号の説明】
１    デッキ
２    束石
３    支柱
４    床部
５    床面
６    デッキパネル体
７    枠体
８    可動デッキパネル体
９    固定デッキパネル体
１０    パネル受材
１１    槽体
１２    可動パネル受材
１３    框
【図１】
2004169284.tif 000003
【図２】
2004169284.tif 000004
【図３】
2004169284.tif 000005
【図４】
2004169284.tif 000006
【図５】
2004169284.tif 000007
【図６】
2004169284.tif 000008
【図７】
2004169284.tif 000009
【図８】
2004169284.tif 000010
【図９】
2004169284.tif 000011
【図１０】
2004169284.tif 000012
【図１１】
2004169284.tif 000013
【図１２】
2004169284.tif 000014
【図１３】
2004169284.tif 000015
【図１４】
2004169284.tif 000016